(57)【要約】【課題】足場構造体の強度を維持しつつ、組み立て作業を簡易にすることができる支柱と横ステーとの連結装置を提供する。【解決手段】支柱と横ステーとを連結する連結装置が提供される。支柱は、支柱本体と、フランジ孔を有するフランジ部とを含む。連結装置は、上壁部とフック部と楔とを備える。上壁部は、横ステーの端部から外方に延び、上下方向に貫通する楔孔が形成されている。フック部は、上壁部において楔孔よりも外方の部位から下方に延び、フランジ孔に上方から差し込まれる。楔は、フック部がフランジ孔に差し込まれた状態で、上壁部の外側端部とフック部とを支柱本体の外周面に押し当てるように、楔孔及びフランジ孔に上方から差し込まれる。このとき、上壁部がフランジ部上に載置され、フランジ部が横ステーの上端と下端との間の高さ位置に位置する。【選択図】図１１Ｂ
2020020170.tif 000002
【特許請求の範囲】
【請求項１】
足場構造体に含まれる支柱と横ステーとを連結する連結装置であって、
前記支柱は、上下方向に延びる支柱本体と、前記支柱本体に連結され、上下方向に貫通するフランジ孔を有するフランジ部とを含み、
前記連結装置は、
前記横ステーの少なくとも一方の端部から外方に延び、上下方向に貫通する楔孔が形成されている、上壁部と、
前記上壁部において前記楔孔よりも外方の部位から下方に延び、前記フランジ孔に上方から差し込まれるフック部と、
前記フック部が前記フランジ孔に差し込まれた状態で、前記上壁部の外側端部と前記フック部とを前記支柱本体の外周面に押し当てるように、前記楔孔及び前記フランジ孔に上方から差し込まれる楔と
を備え、
前記フック部が前記フランジ孔に差し込まれ、前記楔が前記楔孔及び前記フランジ孔に差し込まれたとき、前記上壁部が前記フランジ部上に載置され、前記フランジ部が前記横ステーの上端と下端との間の高さ位置に位置する、
連結装置。
【請求項２】
前記上壁部の前記外側端部は、前記フランジ部よりも上方の位置で前記支柱本体の前記外周面に押し当てられ、前記フック部は、少なくとも前記フランジ部よりも下方の位置で前記支柱本体の前記外周面に押し当てられる、
請求項１に記載の連結装置。
【請求項３】
前記横ステーの上下方向の中点の高さ位置は、前記フランジ部の高さ位置に重なる、
請求項１又は２に記載の連結装置。
【請求項４】
前記フック部は、
前記支柱本体の前記外周面と間隔を空けつつ、前記上壁部の前記外方の部位から下方に延びる延長部と、
前記延長部から前記フランジ孔よりも下方の位置において外方に突出し、前記支柱本体の外周面に押し当てられる突出部と
を有する、
請求項１から３のいずれかに記載の連結装置。
【発明の詳細な説明】
【技術分野】
【０００１】
本発明は、足場構造体に含まれる支柱と横ステーとを連結する連結装置に関する。
【背景技術】
【０００２】
建物等の建設現場においては、仮設の足場構造体が組み立てられる。足場構造体は、上下方向に延びる多数本の支柱と、水平方向に延びる多数本の横ステーとを組み合わせることにより構築される。このとき、水平方向に一定の間隔をあけながら支柱が設置され、これらの支柱に対し、隣接する支柱どうしを接続するように横ステーが連結される。支柱と横ステーとを解体自在に連結するための連結構造としては、様々なものが知られている。例えば、支柱本体の外周面から突出し、当該外周面との間にトンネル状の孔を規定する側板を支柱本体に連結し、当該孔に横ステーに連結された楔を差し込むタイプのものがある（例えば、特許文献１参照）。
【０００３】
特許文献２は、別のタイプの連結構造を開示している。ここでは、横ステーの端部に、当該端部から支柱本体の外周面に向かって延びる一対の顎部（上下顎部）が設けられる。上下顎部の間には、支柱本体に連結されたフランジ部が挿入され、上下顎部に形成された貫通孔とフランジ部に形成された貫通孔とを共に貫くように楔が差し込まれることで、支柱と横ステーとが連結される。
【先行技術文献】
【特許文献】
【０００４】
【特許文献１】特開２０１６−７９７５８号公報
【特許文献２】特開２０１８−７１１９６号公報
【発明の概要】
【発明が解決しようとする課題】
【０００５】
特許文献２の連結構造は、以下の点において、特許文献１の連結構造に対して優れる。特許文献１では、横ステーが支柱本体の外周面に取り付けられた側板上に載置されるが、特許文献２では、横ステーが支柱本体の外周面に取り付けられたフランジ部に横方向から対面する。そのため、特許文献２の連結構造では、特許文献１の連結構造よりも、横ステーの上下方向の重心位置が、横ステーがその端部において支えられる支点に近く、横ステーを安定的に支えることができる。よって、足場構造体の強度が増す。
【０００６】
しかしながら、特許文献２の連結構造では、組み立て作業時に、横ステーを上下顎部でフランジ部を挟むようにセットした後、楔を差し込み、その上で楔を打ち込むことが必要になる。よって、組み立て作業時に求められる工程が多い。
【０００７】
本発明は、足場構造体の強度を維持しつつ、足場構造体を構築するための組み立て作業を簡易にすることができる支柱と横ステーとの連結装置を提供することを目的とする。
【課題を解決するための手段】
【０００８】
本発明の第１観点に係る連結装置は、足場構造体に含まれる支柱と横ステーとを連結する連結装置であって、支柱は、上下方向に延びる支柱本体と、支柱本体に連結され、上下方向に貫通するフランジ孔を有するフランジ部とを含む。連結装置は、横ステーの少なくとも一方の端部から外方に延び、上下方向に貫通する楔孔が形成されている、上壁部と、上壁部において楔孔よりも外方の部位から下方に延び、フランジ孔に上方から差し込まれるフック部と、フック部がフランジ孔に差し込まれた状態で、上壁部の外側端部とフック部とを支柱本体の外周面に押し当てるように、楔孔及びフランジ孔に上方から差し込まれる楔とを備える。フック部がフランジ孔に差し込まれ、楔が楔孔及びフランジ孔に差し込まれたとき、上壁部がフランジ部上に載置され、フランジ部が横ステーの上端と下端との間の高さ位置に位置する。
【０００９】
本発明の第２観点に係る連結装置は、第１観点に係る連結装置であって、上壁部の外側端部は、フランジ部よりも上方の位置で支柱本体の外周面に押し当てられ、フック部は、少なくともフランジ部よりも下方の位置で支柱本体の外周面に押し当てられる。
【００１０】
本発明の第３観点に係る連結装置は、第１観点又は第２観点に係る連結装置であって、横ステーの上下方向の中点の高さ位置は、フランジ部の高さ位置に重なる。
【００１１】
本発明の第４観点に係る連結装置は、第１観点から第３観点のいずれかに係る連結装置であって、フック部は、支柱本体の外周面と間隔を空けつつ、上壁部の外方の部位から下方に延びる延長部と、延長部からフランジ孔よりも下方の位置において外方に突出し、支柱本体の外周面に押し当てられる突出部とを有する。
【発明の効果】
【００１２】
本発明によれば、支柱本体に連結されたフランジ部のフランジ孔に、横ステーの少なくとも一方の端部から上壁部を介して延びるフック部が上方から差し込まれる。また、フック部の背後（支柱本体の反対側）において、楔が上壁部の楔孔とフランジ孔とに上方から差し込まれることで、支柱と横ステーとが連結される。また、このとき、フランジ部が横ステーの上端と下端との間の高さ位置に位置する。そのため、横ステーの上下方向の重心位置が、フランジ部上における横ステーの支点に近く、横ステーが安定的に支えられる。よって、足場構造体の強度が維持される。また、以上の構成によると、フック部及び楔をフランジ孔に上方から概ね同時に差し込むようにし、その後、楔を打ち込むことで、支柱と横ステーとを連結することができる。よって、足場構造体を構築するための組み立て作業が簡易になる。
【図面の簡単な説明】
【００１３】
【図１】本発明の一実施形態に係る連結装置を含む足場構造体の全体構成を示す図。
【図２】支柱を部分的に切り出した斜視図。
【図３】図２の支柱の平面図。
【図４】横ステーの一端と、当該端部に固定される連結装置とを示す側面図。
【図５】図４の横ステー及び連結装置の平面図。
【図６】連結装置の斜視図。
【図７】連結装置を別の方向から見た斜視図。
【図８】連結装置の平面図。
【図９】連結装置の底面図。
【図１０】横ステーの平面図。
【図１１Ａ】支柱と横ステーとの仮の連結状態を示す図。
【図１１Ｂ】支柱と横ステーとの連結状態を示す図。
【図１２】変形例に係る連結装置の側面図。
【発明を実施するための形態】
【００１４】
以下、図面を参照しつつ、本発明の一実施形態に係る足場構造体のための連結装置について説明する。
【００１５】
＜１．足場構造体の全体構成＞
図１に、本実施形態に係る連結装置２を含む足場構造体１を示す。足場構造体１は、建物等の建設現場において仮設され、建設工事が終わると解体される。足場構造体１は、上下方向に延びる多数本の支柱１０と、水平方向に延びる多数本の横ステー２０とを組み合わせることにより構築される。支柱１０は、水平方向に所定の間隔をあけながら設置され、横ステー２０は、これらの支柱１０に対し隣接する支柱１０どうしを接続するように解体自在に連結される。連結装置２は、このときに支柱１０と横ステー２０とを連結するための装置である。支柱１０と横ステー２０とは、適当な数だけ自在に連結することができ、これにより、建設現場において任意の大きさの足場構造体１を組み立てることができる。以下、足場構造体１の各部位の説明において、「上下」及び「水平」というとき、特に断らない限り、足場構造体１の設置時を基準とするものとする。
【００１６】
＜２．支柱及び横ステーの構成＞
支柱１０は、上下方向に直線状に延びる支柱本体１１と、支柱本体１１の外周面に連結されるフランジ部１２とを有する。フランジ部１２は、支柱本体１１の長手方向に沿って所定の間隔で取り付けられる。図２は、部分的に切り出した支柱１０の斜視図であり、図３は、その平面図である。これらの図に示すように、支柱本体１１は、円筒状であり、フランジ部１２は、板状の部材であり、水平方向に広がる。フランジ部１２は、平面視において「＋」の形状を有しており、支柱本体１１の外周面から４つの方向に突出する突出部１２ａ〜１２ｄを有する。突出部１２ａ〜１２ｄは、支柱本体１１の中心軸Ａ１を基準として回転対称の形状を有しており、支柱本体１１の中心軸Ａ１周りに等間隔に配置される。すなわち、突出部１２ａ〜１２ｄは、中心軸Ａ１周りに９０°間隔で配置される。
【００１７】
フランジ部１２に含まれる突出部１２ａ〜１２ｄには、各々、フランジ孔１３が形成されており、フランジ孔１３は、各々、突出部１２ａ〜１２ｄを上下方向に貫通する。詳細は後述するが、フランジ孔１３は、支柱１０と横ステー２０とを連結するために、横ステー２０に固定されている連結装置２のフック部５０を引っ掛けるための孔である。
【００１８】
フランジ孔１３は、支柱本体１１の外周面と、突出部１２ａ〜１２ｄとにより画定される。すなわち、支柱本体１１の外周面は、フランジ孔１３に面しており、フランジ孔１３の（中心軸Ａ１を基準として）内側の端縁を画定している。図２においては、支柱本体１１の外周面においてフランジ孔１３の内側の端縁を画定する領域が、符号Ｔ１で示されている。
【００１９】
支柱本体１１とフランジ部１２とは、金属製、典型的には鋼鉄製である。支柱本体１１とフランジ部１２とは、別々に製造された後、溶接されることにより連結される。具体的には、フランジ部１２となる、中央に開口を有するディスク状の部材を用意し、この中央の開口に支柱本体１１を通す。その後、支柱本体１１の外周面上においてフランジ部１２の付け根に沿って、溶加材を加えながら溶接する。ところで、上記のとおり、支柱本体１１の外周面は、フランジ孔１３に面する領域Ｔ１上において、フランジ部１２に接触しない。従って、支柱本体１１とフランジ部１２との溶接時に、領域Ｔ１上においては、溶接を行わないことも可能である。しかしながら、本実施形態の支柱１０は、溶加材を加えながらの溶接を中心軸Ａ１を基準とする全周に亘って行うことにより、製造される。そのため、領域Ｔ１上には、支柱本体１１とフランジ部１２との溶接時に形成される溶接ビード１４が存在する。図２には、点線により、領域Ｔ１上の溶接ビード１４を含む、支柱本体１１の外周面上に中心軸Ａ１を基準とする全周に沿って形成される溶接ビードが示されている。支柱本体１１の外周面は、概ね滑らかな円柱面を規定するが、フランジ部１２の周辺では、溶接ビード１４の隆起により凸凹している。なお、このような支柱１０の場合、中心軸Ａ１を基準とする周方向に沿って溶接を行うときに、領域Ｔ１上において溶接を中断する必要がないため、溶接時の制御が容易となる。
【００２０】
図４は、横ステー２０の一端と、当該端部に固定される連結装置２とを示す側面図であり、図５は、その平面図である。横ステー２０は、円筒状であり、水平方向に直線状に延びている。なお、図４では、横ステー２０の一端側のみが示されているが、他端側でも同様の構造を有し、連結装置２が固定されている。
【００２１】
＜３．連結装置の構成＞
図６は、連結装置２の単体での斜視図であり、図７は、これを別の方向から視た斜視図である。図８は、連結装置２の単体での平面図であり、図９は、その底面図である。これらの図に示すように、連結装置２は、本体部３と、これに差し込まれる楔６０とを有する。本体部３は、横ステー２０の端部に溶接により連結される基部３０と、基部３０の上部から外方（支柱１０に向かう側）に向かって延びる上壁部４０と、上壁部４０の外側端面４１（支柱１０側を向く面）の近傍の部位から下方に延びるフック部５０とを有する。これに限定されないが、本実施形態では、基部３０、上壁部４０及びフック部５０を含む本体部３は、一体的に構成されている。
【００２２】
基部３０の外形は、横ステー２０と略同じ半径を有する円筒状であり、両者の中心軸が一致するように横ステー２０に連結される。上壁部４０は、横ステー２０の中心軸Ａ１に直交する断面の形状が略半月状であり、基部３０の略上半分から外方へ水平に延びる。上壁部４０には、上下方向に貫通する楔孔４０ａが形成されており、この楔孔４０ａには、楔６０が差し込まれている。フック部５０は、上壁部４０において楔孔４０ａよりも外方の部位、より具体的には、楔孔４０ａの外方において楔孔４０ａに隣接する部位から下方に延びている。よって、楔孔４０ａに差し込まれた楔６０は、フック部５０に接触する。
【００２３】
楔６０は、略同じ厚みを有する楔本体６１と、楔本体６１の厚み方向の両端面から楔本体６１の下端近傍において厚み方向に突出する突起６２とを有する。なお、楔本体６１の「厚み」とは、支柱１０の中心軸Ａ１及び横ステー２０の中心軸Ａ２に直交する方向を基準として定義される。楔本体６１の厚み方向の両端面は、平面状である。楔本体６１は、水平方向の断面が略矩形形状であり、上側から下側に向かう程、その断面積が小さくなるように構成されている。よって、楔本体６１の幅は、上側から下側に向かう程、徐々に狭くなる。なお、楔本体６１の「幅」は、厚み方向及び上下方向に直交する方向を基準として定義される。
【００２４】
楔本体６１は、外方（支柱１０に向かう側）を向く腹部６４と、内方（横ステー２０に向かう側）を向く背部６５とを有する。腹部６４は、上端部近傍において、当該上端部の直下の部位よりも外方へ大きく突出する抜け止め部６４ａを有する。上壁部４０の楔孔４０ａは、上下方向に延びる略直方体形状である。楔孔４０ａには、楔本体６１の抜け止め部６４ａよりも下方の部位が挿入されるが、抜け止め部６４ａは、楔孔４０ａ内を下方へ通り抜けることができない大きさであり、上壁部４０の上面から常に突出している。一方、楔孔４０ａ内を上方から通り抜けた楔本体６１の下部は、突起６２が上壁部４０の下面に引っ掛かるため、反対に上方へ通り抜けることができない。従って、楔６０は、上壁部４０から脱落不能である。なお、この態様に限定されないが、突起６２は、例えば、楔本体６１を楔孔４０ａ内に上方から差し込んだ後、楔本体６１において厚み方向に形成された貫通孔にボルトを挿入し、ボルトの貫通孔から出た部分をナットで締めることにより形成される。楔本体６１の背部６５は、基部３０の外側端面３０ａ（支柱１０側を向く面）から一定の間隔をあけている。
【００２５】
フック部５０は、上壁部４０から下方に延びる延長部５１と、延長部５１の下端から外方（支柱１０に向かう側）に突出する突出部５２とを有する。延長部５１は、図７に示すように、横ステー２０の中心軸Ａ２に直交する方向から視て、上壁部４０よりも幅が狭く、上壁部４０の下面の中央付近から真っ直ぐ下方に延びている。また、図９のとおり、突出部５２の外側端面５２ａ（支柱１０側を向く面）は、底面視において円弧状に湾曲しており、この円弧の半径は、支柱本体１１の外径に略等しく、この円弧の中心は、支柱本体１１の中心軸Ａ１に略一致する。また、この円弧の中点Ｐ１は、底面視において概ね横ステー２０の中心軸Ａ２上に存在する。その結果、突出部５２の外側端面５２ａは、支柱１０と横ステー２０とが連結されたとき、概ね面全体で支柱本体１１の外周面に押し当てられる。図９には、支柱１０と横ステー２０との連結時の支柱本体１１の位置が、参考として点線で示されている。なお、支柱１０と横ステー２０とは、両者の中心軸Ａ１及びＡ２が概ね交差するように連結される。
【００２６】
一方、図８に示すように、上壁部４０の外側端面４１は、中心軸Ａ２に直交する面に略平行な面４１ａと、この面４１ａの水平方向の一方の端部において外方（支柱１０に向かう側）に向かって湾曲しながら突出する湾曲面４１ｂとを有する。湾曲面４１ｂの曲率半径は、支柱本体１１の外周面の曲率半径に略等しい。また、面４１ａと面４１ｂとの境界Ｐ２は、平面視において概ね中心軸Ａ２に上に存在する。その結果、湾曲面４１ｂは、支柱１０と横ステー２０とが連結されたとき、概ね面全体で支柱本体１１の外周面に押し当てられる。図８には、支柱１０と横ステー２０との連結時の支柱本体１１の位置が、参考として点線で示されている。なお、平面視及び底面視において、面４１ａと面４１ｂとの境界Ｐ２と、フック部５０の外側端面５２ａの中点Ｐ１とは概ね重なる。
【００２７】
＜４．支柱と横ステーの連結方法＞
次に、２本の支柱１０間に横ステー２０を連結する方法について説明する。なお、前提として、２本の支柱１０には、同じ高さ位置にフランジ部１２が取り付けられているものとする。
【００２８】
まず、横ステー２０を用意する。横ステー２０の両端には、それぞれ連結装置２が連結されている。このとき、両端の連結装置２における上壁部４０の面４１ａと面４１ｂとの境界Ｐ２の間の距離（図１０参照）は、２本の支柱１０間の距離に略等しい。また、図１０に示すように、横ステー２０の両端における連結装置２の湾曲面４１ｂは、中心軸Ａ２を含み、上下方向に平行な面に対し、反対側に位置する。すなわち、一方の湾曲面４１ｂが面４１ａの第１方向側に連続するとした場合に、他方の湾曲面４１ｂは面４１ａの第１方向と反対の第２方向側に連続する。これにより、両端に連結装置２が連結された横ステー２０を、２本の支柱１０間に容易に挿入することができる。具体的には、まず、横ステー２０を、平面視において２本の支柱１０の中心軸Ａ１どうしを結ぶ直線に対して傾けた状態で、支柱１０間に配置する。このとき、横ステー２０を、フランジ部１２よりもやや上方の高さ位置で水平に保つようにする。続いて、横ステー２０を水平面内で回転させて、両端の連結装置２をそれぞれフランジ部１２のやや上方に配置する。このとき、湾曲面４１ｂよりも面４１ａが先に支柱本体１１に近づくような方向に、横ステー２０を回転させるようにする。その結果、面４１ａよりも支柱本体１１側に突出した湾曲面４１ｂが支柱本体１１と接触することで、横ステー２０を支柱本体１１間に挿入し難くなる事態が防止される。なお、以上の構成により同様に、足場構造体１の解体時には横ステー２０を支柱本体１１間から取り出し易くなる。
【００２９】
続いて、横ステー２０の両端において、連結装置２のフック部５０及び楔６０の下部を、フランジ部１２のフランジ孔１３に上方から差し込む（図１１Ａ参照）。楔６０の両面上における突起６２の先端間の幅（楔本体６１の厚み方向の長さ）は、フランジ孔１３の同方向の幅よりも狭い。また、同様に、フック部５０の同方向の幅も、フランジ孔１３の同方向の幅よりも狭い。よって、フック部５０及び楔６０は、上壁部４０の下面がフランジ部１２の上面に接するまで、フランジ孔１３に差し込まれる。このとき、フック部５０及び楔６０は、概ね同時にフランジ孔１３に差し込まれる。なお、上記のとおり、本実施形態では、フック部５０の延長部５１が突出部５２よりも後方（横ステー２０側）に下がっており、延長部５１が支柱本体１１の外周面に接することがない。すなわち、延長部５１が支柱本体１１の外周面から間隔をあけているため、フック部５０と支柱本体１１の外周面との接触面積が減り、フック部５０及び楔６０を同時にフランジ孔１３に挿入し易くなる。
【００３０】
また、上記のとおり、支柱本体１１の外周面においてフランジ孔１３に面する領域Ｔ１には、溶接ビード１４の山が存在する。しかしながら、延長部５１が支柱本体１１の外周面から間隔をあけていることにより、ひとたび突出部５２がこの山を乗り越えてフランジ孔１３を通り抜けた後は、延長部５１がこの山に対し間隔をあけて対面する。よって、溶接ビード１４の存在が、フランジ孔１３内へフック部５０及び楔６０を差し込む際の障害となり難い。
【００３１】
その後、図示されないハンマー等を用いて、楔６０を上方から打ち込む（図１１Ｂ参照）。これにより、楔６０は、上壁部４０の楔孔４０ａ及びフランジ孔１３のさらに深くへと差し込まれてゆく。しかしながら、楔本体６１が下方に向かう程幅が狭くなるように構成されているため、図１１Ｂに示す所定の位置で停止する。
【００３２】
図１１Ｂの状態、すなわち、フック部５０がフランジ孔１３に差し込まれ、かつ、楔６０が楔孔４０ａ及びフランジ孔１３に差し込まれた状態では、上壁部４０の外側端面４１とフック部５０の突出部５２の外側端面５２ａとが、支柱本体１１の外周面に強く押し当てられる。これにより、支柱１０と横ステー２０とが強固に連結される。このとき、同図に示すように、上壁部４０の外側端面４１は、フランジ部１２よりも上方の位置で支柱本体１１の外周面に押し当てられ、フック部５０の外側端面５２ａは、フランジ部１２よりも下方の位置で支柱本体１１の外周面に押し当てられる。このように、支柱本体１１の外周面に対し、フランジ部１２を挟んで上下に分かれた２点で連結装置２が突っ張るため、支柱１０と横ステー２０との連結強度が高められる。また、図１１Ｂの状態では、楔６０の腹部６４がフック部５０に強く押し当てられ、背部６５がフランジ部１２に強く押し当てられる。そして、これによっても、支柱１０と横ステー２０との連結強度が高められる。
【００３３】
また、上壁部４０がフランジ部１２上に載置された図１１Ｂに示す状態では、フランジ部１２は、横ステー２０の上端と下端との間の高さ位置に位置する。本実施形態では、このとき、横ステー２０の上下方向の中点の高さ位置は、フランジ部１２の高さ位置に重なり、特にフランジ部１２の上下方向の中点の高さ位置に略一致する。そのため、横ステー２０の上下方向の重心位置（中心軸Ａ２の高さ位置に略一致する）が、フランジ部１２上において横ステー２０が支えられる支点に近くなり、横ステー２０が安定的に支えられ、ひいては、足場構造体１の強度が向上する。
【００３４】
以上の連結方法によれば、フック部５０及び楔６０がフランジ孔１３に概ね同時に差し込まれるため、支柱１０と横ステー２０とを容易に図１１Ａに示すような仮連結状態にセットすることができる。そして、その後、楔６０を打ち込むことで、支柱１０と横ステー２０とを強固に連結することができる。よって、ここで説明した連結方法によれば、足場構造体１を構築するための組み立て作業が簡易になる。
【００３５】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００３６】
＜５−１＞
上記実施形態では、横ステー２０と連結装置２の本体部３とは、別々に製造した後、溶接により接続されたが、これらを最初から一体的に製造してもよい。
【００３７】
＜５−２＞
支柱本体１１とフランジ部１２との溶加材を加えての溶接は、領域Ｔ１上において省略してもよい。
【００３８】
＜５−３＞
図１２に示すように、上壁部４０の下面からフック部５０の下端に亘って、フック部５０の外側端面（支柱１０側を向く面）５２ａが支柱本体１１の外周面に接触するようにしてもよい。
【符号の説明】
【００３９】
１  足場構造体
２  連結装置
３  本体部
１０  支柱
１１  支柱本体
１２  フランジ部
１３  フランジ孔
２０  横ステー
３０  基部
４０  上壁部
４０ａ  楔孔
５０  フック部
５１  延長部
５２  突出部
６０  楔
【図１】
2020020170.tif 000003
【図２】
2020020170.tif 000004
【図３】
2020020170.tif 000005
【図４】
2020020170.tif 000006
【図５】
2020020170.tif 000007
【図６】
2020020170.tif 000008
【図７】
2020020170.tif 000009
【図８】
2020020170.tif 000010
【図９】
2020020170.tif 000011
【図１０】
2020020170.tif 000012
【図１１Ａ】
2020020170.tif 000013
【図１１Ｂ】
2020020170.tif 000014
【図１２】
2020020170.tif 000015